(57)【要約】【課題】表示部とコンソール部とが平面状に接合された薄型表示装置において、表示部の水平度を精度良く調整する。【解決手段】表示部１とコンソール部１１との接合部３０において、コンソール部１１側の縁取り１２ａと、表示部１側の額縁部７ａとの間にある距離Ｔを有する間隙を形成する。接合部３０には、ランプランプ保持ユニット３３が設けられている。ランプ保持ユニット３３の略中央に、断面が略コの字型で表示部１の横方向に延在するとともに表面側に開口を有するフランジＦが形成されている。フランジ部Ｆは、表示面に平行な底板部３２ａと、底板部３２ａの上端部及び下端部から表面に向けて立ち上がる第１上板部３２ｂ及び第１下板部３２ｃを有している。第１上板部３２ｂ及び第１下板部３２ｃとを表示部１とコンソール部１１とのそれぞれのキャビネットに係止することにより両者間の隙間を調整する。隙間には厚さｔが上記Ｔとほぼ等しい中間体（ランプカバー）３１が挿入される。【選択図】　図３
2004109399.tif 000002
【特許請求の範囲】
【請求項１】
表示画面を有する表示部と、
コンソール部であって、前記表示部の第１端面と近接して対向配置される第２端面を備え、前記表示部とともに平面を形成するように配置されるコンソール部と
を有する薄型表示装置。
【請求項２】
表示画面を有する表示部と、
コンソール部であって、前記第１端面と近接して対向配置される第２端面を有し、前記表示部とともに平面を形成するように配置されるコンソール部と、
前記第１端面と前記第２端面との接合部近傍に設けられ、前記表示部と前記コンソール部とを隙間を有した状態で接合するフランジ部を備えた接合部材と
を有することを特徴とする薄型表示装置。
【請求項３】
前記表示部は、該表示部の表面に設けられた表示パネルと、該表示パネルを支持する第１キャビネットと、を有しており、
前記コンソール部は、前記薄型表示装置を制御する制御部と、該制御部を収容する第２キャビネットと、を有しており、
前記フランジ部は、前記接合部に沿って延在し、前記表示パネルと略平行に設けられる第１底板部と、該第１底板部から表面側に延びるとともに、前記第１キャビネット及び前記第２キャビネットとそれぞれ係止する第１係止片及び第２係止片を有していることを特徴とする請求項２に記載の薄型表示装置。
【請求項４】
前記表示部は、該表示部の表面に設けられた表示パネルと、該表示パネルを支持する第１キャビネットであって、前記接合部の近傍において前記表示パネルの裏面側に向けて突出する第３係止片を備えた第１キャビネットと、を有しており、
前記コンソール部は、前記薄型表示装置を制御する制御部と、該制御部を収容する第２キャビネットであって前記接合部の近傍において裏面に向けて突出する第４係止片を備えた第２キャビネットと、を有しており、
前記フランジ部は、前記接合部に沿って延在し、前記表示パネルと略平行に設けられる第１底板部と、該第１底板部から表面側に延びるとともに、前記第１係止片及び前記第２係止片とそれぞれ係止する第３係止片及び第４係止片を有していることを特徴とする請求項２に記載の薄型表示装置。
【請求項５】
さらに、前記接合部材は、前記第１底板部から前記第１端面と前記第２端面とが離間する第１及び第２の方向に分離されるとともに、前記表示パネルの裏面側に延び、前記第１底板部の前記裏面側において光源を収容する収容部を形成する第１及び第２の板状部材を有しており、
前記第１底板部は、前記光源からの光を表面側に導く孔部であって、表面側から裏面側まで貫通する孔部を有していることを特徴とする請求項４に記載の薄型表示装置。
【請求項６】
さらに、前記接合部材は、前記第１及び第２の方向にそれぞれ延びる第３及び第４の板状部材を有しており、前記第１の板状部材と前記第３の板状部材との間及び前記第２の板状部材と前記第４の板状部材との間の少なくとも一方に、それぞれの間を連結する補強リブが設けられていることを特徴とする請求項４又は５に記載の薄型表示装置。
【請求項７】
前記補強リブが、前記接合部の延在方向に沿って間欠的に設けられていることを特徴とする請求項６に記載の薄型表示装置。
【請求項８】
さらに、前記隙間に挿入され透明又は半透明の部材により形成された中間体を有していることを特徴とする
請求項２から７までのいずれか１項に記載の薄型表示装置。
【請求項９】
前記中間体は、前記接合部材が延在する方向と交差する方向に切った断面がＴ字型の部材であって、前記第１係止片と前記第２係止片との間に収まる厚みを有する第２底板部と、該第２底板部から裏面側に突出し前記隙間に収まる厚みを有する突出部と、を有していることを特徴とする請求項８に記載の薄型表示装置。
【請求項１０】
前記中間体が、前記表示部を装飾する装飾部材の一部を兼ねていることを特徴とする請求項８又は９に記載の薄型表示装置。
【請求項１１】
前記中間体が、前記薄型表示装置の動作と関連して複数の表示を行うことを特徴とする請求項８から１０までのいずれか１項に記載の薄型表示装置。
【請求項１２】
さらに、前記中間体の裏面側であって前記第１底板部の表面側に、前記光源からの光を拡散させる拡散板が設けられていることを特徴とする請求項１１に記載の薄型表示装置。
【請求項１３】
さらに、前記第２底板部に、薄型表示装置の裏面側から表面側に向けた光を選択的に透過させるハーフミラー部を有していることを特徴とする請求項９から１２までのいずれか１項に記載の薄型表示装置。
【請求項１４】
さらに、前記表示部又は前記コンソール部に取り付けられ、前記第１端面の法線方向を回転軸として前記表示部を回転させる回転機構を有することを特徴とする請求項１から１３までのいずれか１項に記載の薄型表示装置。
【請求項１５】
前記接合部材は、前記隙間に沿って延在することを特徴とする請求項２から１４までのいずれか１項に記載の薄型表示装置。
【請求項１６】
さらに前記光源の裏面に前記光源を保護する保護板が設けられており、該保護板に前記光源の両端近傍から配線を裏面側に引き出す第１及び第２の開口部が形成されていることを特徴とする請求項５から１５までのいずれか１項に記載の薄型表示装置。
【請求項１７】
さらに、前記表示部と前記コンソール部との間の隙間を調整する隙間調整部材を有している請求項２から１６までのいずれか１項に記載の薄型表示装置。
【請求項１８】
前記隙間調整部材は、前記接合部の延在方向に複数設けられていることを特徴とする請求項１７に記載の薄型表示装置。
【請求項１９】
さらに、前記表示部と前記コンソール部との間の隙間を調整する隙間調整部材を有し、
該隙間調整部材は、前記フランジ部の前記第１係止片及び前記第２係止片の少なくともいずれか一方に設けられるネジ孔と、該ネジ孔と螺合する調整ネジとを有しており、前記ネジ孔は、前記調整ネジの先端部が前記第３係止片の上面又は第４係止片の下面と当接する位置に設けられていることを特徴とする請求項２から１６までのいずれか１項に記載の薄型表示装置。
【請求項２０】
前記調整ネジは、前記ネジ孔の挿入始端側にビスを備え、該ビスと前記ネジ孔の挿入始端との間にワッシャが設けられていることを特徴とする請求項１９に記載の薄型表示装置。
【発明の詳細な説明】
【０００１】
【発明の属する技術分野】
本発明は薄型表示装置に関し、特に表示部とコンソール部とに分割されたタイプの薄型表示装置における隙間調整技術に関する。
【０００２】
【従来の技術】
表示装置の大画面化に伴い、大型の表示装置構造体に関する技術が重要になってきている。図９は、従来の表示装置の薄型構造体の断面図である。図９に示すように、表示装置は、横配置の第１の筺体２１０と、その上面前方に配置される縦配置の第２の筺体２２０と、第１の筺体２１０の上面後方の上方で、かつ、第２の筺体２２０の後方に配置される縦配置の第３の筺体２３０とから構成し、第２の筺体２２０の広い面２２１の前部周囲に縁部２２２を設けることにより、前方に開放して形成される第２の装置収容部２３０ａを設け、この第２の装置収容部２３０ａに薄型表示部１００を縦配置で収容するように構成している（例えば、特許文献１参照）。
【０００３】
上記表示装置においては、スピーカ３０や電源１０が第１の筺体２１０内に設けられ、送風ファン２３４が第３の筺体２３０内に収容されている。加えて、上記構造は、第１から第３までの３つの筺体を組み合わせて立体的に強度を保持している。
【０００４】
また、液晶リアプロジェクションテレビにおいて、上部キャビネットと下部キャビネットとを分割して形成し、上部キャビネットにはスクリーン及びミラーを装備し、下部キャビネットには映像機器、駆動及び制御回路、投射レンズを含む光学ユニットと、テレビとしての主要構成部分と、を装備し、下部キャビネットを共通とし、画面のインチサイズが異なる上部キャビネットを組み付けた投射型テレビジョン受信機が開示されている（例えば、特許文献２参照）。この受信機によれば、他種類に渡るインチサイズの液晶リアプロジェクションテレビが、簡単に製造できる。
【特許文献１】
特開平１１−３３８３７２号公報（第１図、第６頁から第７頁）
【特許文献２】
特開平０９−０９８３５７号公報
【０００５】
【発明が解決しようとする課題】
ところで、最近、３０インチ以上の表示部を有する大画面表示装置が開発されている。このような大画面表示装置をさらに薄型化すると魅力が増す。しかしながら、上記従来技術のように表示部以外のスピーカや電源などを別の筺体に収容し、表示部と筺体とを立体的に組み合わせると、表示装置全体を薄型化するのが難しくなる。
【０００６】
また、特許文献２に記載のテレビは、上キャビネットと下キャビネットとに分離可能な表示装置であるが、特許文献１と同様に立体的構造を有しているため、上キャビネットの重心は奥で支えている。この文献には、上下のそれぞれのキャビネット間の位置（隙間）調整や位置合わせに関する記載はない。
本発明の目的は、上下キャビネットを有する薄型表示装置に適した隙間調整技術を提供することにある。
【０００７】
【課題を解決するための手段】
本発明の一観点によれば、表示画面を有する表示部と、コンソール部であって、前記表示部の第１端面と近接して対向配置される第２端面を備え、前記表示部とともに平面を形成するように配置されるコンソール部とを有する薄型表示装置が提供される。また、表示画面を有する表示部と、コンソール部であって、前記第１端面と近接して対向配置される第２端面を有し、前記表示部とともに平面を形成するように配置されるコンソール部と、前記第１端面と前記第２端面との接合部近傍に設けられ、前記表示部と前記コンソール部とを隙間を有した状態で接合するフランジ部を備えた接合部材とを有する薄型表示装置が提供される。
【０００８】
上記薄型表示装置によれば、表示部とコンソール部とが平面状に配置されるため、薄型表示装置をより薄型化できる。表示部の第１端面とコンソール部の第２端面とを隙間を有した状態で対向配置するため、表示部の水平度の調整作業が行いやすい。
【０００９】
前記表示部は、該表示部の表面に設けられた表示パネルと、該表示パネルを支持する第１キャビネットと、を有しており、前記コンソール部は、前記薄型表示装置を制御する制御部と、該制御部を収容する第２キャビネットと、を有しており、前記フランジ部は、前記接合部に沿って延在し、前記表示パネルと略平行に設けられる第１底板部と、該第１底板部から表面側に延びるとともに、前記第１キャビネット及び前記第２キャビネットとそれぞれ係止する第１係止片及び第２係止片を有しているのが好ましい。
【００１０】
また、前記表示部は、該表示部の表面に設けられた表示パネルと、該表示パネルを支持する第１キャビネットであって、前記接合部の近傍において前記表示パネルの裏面側に向けて突出する第１係止片を備えた第１キャビネットと、を有しており、前記コンソール部は、前記薄型表示装置を制御する制御部と、該制御部を収容する第２キャビネットであって前記接合部の近傍において裏面に向けて突出する第２係止片を備えた第２キャビネットと、を有しており、前記フランジ部は、前記接合部に沿って延在し、前記表示パネルと略平行に設けられる第１底板部と、該第１底板部から表面側に延びるとともに、前記第１係止片及び前記第２係止片とそれぞれ係止する第３係止片及び第４係止片を有しているのが好ましい。さらに好ましくは、内周面同士が当接して係止する。
【００１１】
前記第１係止片及び前記第２係止片を、フランジ部の第３係止片及び第４係止片とそれぞれ係止することにより、接合部の延在方向に沿って隙間を精度良く調整することができる。
【００１２】
さらに、前記接合部材は、前記第１底板部から前記第１端面と前記第２端面とが離間する第１及び第２の方向に分離されるとともに、前記表示パネルの裏面側に延び、前記第１底板部の前記裏面側において光源を収容する収容部を形成する第１及び第２の板状部材を有しており、前記第１底板部は、前記光源からの光を表面側に導く孔部であって、表面側から裏面側まで貫通する孔部を有しているのが好ましい。これにより、接合部材は、接合部の隙間調整とイルミネーションとの両方の役割を兼ねることができる。
【００１３】
さらに、前記接合部材は、前記第１及び第２の方向にそれぞれ延びる第３及び第４の板状部材を有しており、前記第１の板状部材と前記第３の板状部材との間及び前記第２の板状部材と前記第４の板状部材との間の少なくとも一方に、それぞれの間を連結する補強リブが設けられているのが好ましい。補強リブにより、接合部材の変形を防止することができ、従って、上下キャビネットの折れ曲がりを防止することができる。
【００１４】
前記隙間に挿入され透明又は半透明の部材により形成された中間体を有しているのが好ましい。さらに、前記中間体は、前記接合部材が延在する方向と交差する方向に切った断面がＴ字型の部材であって、前記第３係止片と前記第４係止片との間に収まる厚みを有する第２底板部と、該第２底板部から裏面側に突出し前記隙間に収まる厚みを有する突出部と、を有しているのが好ましい。第２底板部が前記第３係止片と前記第４係止片との間に収まる厚みを有することにより、フランジ部の変形を防止することができる。前記隙間に収まる厚みを有する立ち上がり部を有することで、隙間の調整精度を向上させることができる。
【００１５】
前記中間体が、前記表面側を装飾する装飾部材の一部を兼ねており、また、前記中間体が、前記薄型表示装置の動作と関連して複数の表示を行うのが好ましい。さらに、前記第２底板部に、薄型表示装置の裏面側から表面側に向けた光を選択的に透過させるハーフミラー部を有しているのが好ましい。これにより、薄型表示装置の装飾と動作状況の報知とを兼ねることができる。
【００１６】
本発明の他の観点によれば、さらに、前記表示部と前記コンソール部との間の隙間を調整する隙間調整部材を有しているのが好ましい。前記隙間調整部材は、前記接合部の延在方向に複数設けられているのが好ましい。これにより、接合部の延在方向に関する隙間を調整することができ、表示部の水平度を調整することができる。
【００１７】
さらに、前記記表示部と前記コンソール部との間の隙間を調整する隙間調整部材を有し、該隙間調整部材は、前記フランジ部の前記第１係止片及び前記第２係止片の少なくともいずれか一方に設けられるネジ孔と、該ネジ孔と螺合する調整ネジとを有しており、前記ネジ孔は、前記調整ネジの先端部が前記第３係止片の上面又は第４係止片の下面と当接する位置に設けられているのが好ましい。
前記調整ネジは、前記ネジ孔の挿入始端側にビスを備え、該ビスと前記ネジ孔の挿入始端との間にワッシャが設けられているのが好ましい。ネジの押し込み具合により隙間を調整することができる。
【００１８】
【発明の実施の形態】
本明細書において、薄型表示装置とは、例えば液晶テレビやパーソナルコンピュータ用の液晶ディスプレイを含み、さらにプラズマディスプレイなどの種々の表示装置を含む。表示メカニズムにより限定されるものではない。また、本明細書において、表示部は、主として表示機能を発揮し、コンソール部は、主として表示機能に関連する制御機能や音響機能など有する部品を収容する。次に、本発明の一実施の形態による薄型表示装置について、液晶デレビジョン（以下、「液晶テレビ」と称する。）を例にして説明する。
【００１９】
発明者は、大画面表示装置の薄型化のためには、表示パネルを備えた表示部と、制御機能や音響機能などを収容するコンソール部とを分離させるとともに、それぞれを薄型化し、かつ、表示部とコンソール部とを平面状に配置する構成が好ましいと考えた。それぞれが平板状の表示部とコンソール部とを、それぞれの端面が向かい合うように配置すれば、大画面表示装置全体を薄型化することができる。このように配置した場合には、従来型の立体構造の装置と比較して、装置の重心が前面に移るため、表示部とコンソール部とをいかにして接合するかが重要になる。薄型平板の端面は表示面に比べて相対的に面積が非常に小さくなるため、重心が変化しやすく、例えば振動などに対してその影響を低減する必要が生じる。
【００２０】
さらに、大画面表示装置では、コンソール部と表示部との接合部にわずかでも取り付け誤差があると、ユーザにとっては表示面の傾きが目立ち、美観を損ねる。そこで、発明者は、以下の実施の形態において説明する隙間調整技術を考えた。図１は、本発明の第１の実施の形態による液晶テレビの構成を示す正面図であり、図２（Ａ）は、図１の側面図である。図２（Ｂ）は図２（Ａ）の一部を取り出して示した図である。図３は、図２のうち表示部とコンソール部との接続構造を示す要部断面図である。図１から図３までに示すように、本実施の形態による液晶テレビＡは、表示部１と、コンソール部１１と、スタンド２１と、回転機構２３と、を備えている。コンソール部１１は回転機構２３を介してスタンド２１により支持されている。コンソール部１１の上端面と表示部１の下端面とが接続されている。接続構造については後述する。スタンド２１は、左右に広がる略ハの字型の形状を有しており、その裏面において液晶テレビＡの設置面にバランス良く設置できる。
【００２１】
表示部１とコンソール部１１とを合わせて本体部Ｂと称する。回転機構２３を設けることにより、スタンド２１の設置面を基準とし鉛直方向を回転軸として、本体部Ｂを回転させることができる。本体部Ｂを回転させることにより、視聴者の好みの角度で液晶テレビを見ることができる。また回転機構に回転方向の遊びを持たせることにより、本体部Ｂに対して意図しない力が加わった場合でも薄型の液晶テレビが破損することを防止できる。
【００２２】
表示部１は、液晶パネル３と、液晶パネル３の裏面側で液晶パネルを支持するとともに、バックライトを保持するために設けられた例えばアルミニウム製のバックフレーム４と、ほぼ裏面全体を囲む第１の箱体７（上キャビネット）を有している。第１の箱体５は、バックフレーム４の周縁部においてバックフレーム４に取り付けられている。
【００２３】
さらに、バックフレーム４の表面側であって、液晶パネル３の周縁部に額縁部７ａが形成される。本体部Ｂを支えるフレームとして、図２（Ａ）及び（Ｂ）に示すフレーム構造が用いられる。フレーム４１は、接合部３０を跨り、表示部１とコンソール部１１とに固定されている。このフレーム４１は、例えばアルミニウムを押し出し加工することにより形成する。
【００２４】
コンソール部１１は、第２の箱体（下キャビネット）１２を有しており、第２の箱体１２内に、例えばアンプ部１５とコントロール部１７とが配置されている。コンソール部１１の表面側の外周縁部にも、例えば図１に示すように縁取り部１２ａが形成されている。アンプ部１５は、例えば、基幹デバイスとして高精度１チップΔΣ変調ＬＳＩを搭載している。１チップΔΣ変調ＬＳＩは、アナログ信号を１ビットデジタル信号に変換し、高速サンプリングにより音の透明感・スピード感を向上させている。
【００２５】
コントロール部１７は、例えば、液晶表示装置を含む液晶テレビＡの全体の制御を行う。液晶表示装置に関する制御を行うコントロール部１７を表示部１からコンソール部１１に移すことにより、表示部１の薄型化、大画面化が可能となる。尚、コンソール部１１中には、例えば、１ビット５．１ｃｈデジタルアンプを搭載しても良い。併せて、ＤＶＤビデオプレーヤを設置しても良い。このようにすれば、臨場感溢れるＤＶＤムービーを楽しく鑑賞することができる。
【００２６】
次に、液晶テレビＡの表示部１とコンソール部１１との接合構造について図１から図３までを参照して詳細に説明する。本実施の形態による液晶テレビＡにおいては、表示部１とコンソール部１１とは、その内部が、上キャビネット７と下キャビネット１２とにそれぞれ取り付けられ、覆われている。表示部１とコンソール部１１との間の接合部３０において、コンソール部１１側の縁取り１２ａと、表示部１側の額縁部７ａとの間にある距離Ｔを有する間隙部３０ｂを形成している。接合部３０には、ランプランプ保持ユニット３３と、例えばアクリル製のランプカバー３１とが設けられている。
【００２７】
ランプ保持ユニット３３の略中央に、断面が略コの字型で表示部１の横方向に延在するとともに表面側に開口を有する例えば樹脂製のフランジ部Ｆが形成されている。フランジ部Ｆは、接合部３０の延在方向に沿って延在し、延在方向と交差する方向に切った断面がコの字状の形状を有している。フランジ部Ｆは、表示面に平行な底板部３２ａと、底板部３２ａの上端部及び下端部から表面に向けて立ち上がる第１上板部３２ｂ及び第１下板部３２ｃを有している。底板部３２ａと第１上板部３２ｂ及び第１下板部３２ｃとにより囲まれ表面側に開口を有する空間部３３ｂが形成されている。
【００２８】
さらに、フランジ部Ｆには、底板部３２ａの上端部及び下端部から裏面側に向けて立ち上がる板状の第２上板部３２ｄ及び第２下板部３２ｅが設けられている。底板部３２ａと、第２上板部３２ｄ及び第２下板部３２ｅと、により囲まれた底板部３２ａの裏面側に、ランプ３５を収容されているランプ室３３ａが形成される。底板部３２ａには、表面側と裏面側とを貫通する孔（図４（Ａ）参照）Ｈが設けられている。加えて、底板部３２ａの近傍の第１上板部３２ｂ及び第１下板部３２ｃから上方及び下方にそれぞれ立ち上がる第１側板部３３ｃと第２側板部３３ｄとが形成されている。それぞれがほぼ９０度の角度をなす第１側板部３３ｃと第２上板部３２ｄとの間及び第２側板部３３ｄと第２下板部３２ｅとの間に、それぞれ、三角形の形状の第１補強リブ３３ｅと第２補強リブ３３ｆとが形成されている。第１補強リブ３３ｅと第２補強リブ３３ｆとは、所定の厚みを有している。尚、補強リブ３３ｅ、３３ｆは、接合部３０の延在方向に関して間欠的に設けられていても良い。また、表面側にも同様の構造のリブを設けても良い。
【００２９】
上記空間部３３ｂを形成する第１上板部３２ｂ及び第１下板部３２ｃのそれぞれの内縁３２ｆ、３２ｇが、額縁部７ａの下端に形成され、裏面側に突出する第１突出板７ｄと、縁取り部１２ａの上端に形成され、裏面側に突出する第２突出板１２ｄとにそれぞれ当接する。
【００３０】
空間部３３ｂに、断面Ｔ字型のランプカバー３１を収容することができる。ランプカバー３１は、空間部３３ｂの奥部（裏面側）における上下方向の間隙の長さと略等しい長さを有する底部３１ｂと、底部３１ｂの上下方向の中央部から表面側に突出する第３突出部３１ａとを有している。第３突出部３１ａの上下方向の高さは、第１突出板７ｄの下面と第２突出板１２ｄの上面との間の距離ｔと略等しく形成されている。一方、底板部３１ｂの高さは、第１上板部３２ｂの下面と第１下板部３２ｃの上面との距離Ｔと略等しく、かつ、第１突出板７ｄの上面と第２突出板１２ｄの下面との間の距離と略等しい。ランプカバー３１の裏面には、例えばテープ状のアルミニウム箔３１ｄを付着し、その裏面側に光拡散板３１ｅを設けている。
【００３１】
フランジ部Ｆを含むランプ保持ユニット３３を取り付ける際には、ランプ３５とランプカバー３１とをランプ保持ユニット３３内に取り付けた状態で、上キャビネット７と下キャビネット１２の第１突出板７ｄと第２突出板１２ｄとで、フランジの第１上板部３２ｂと第１下板部３２ｃとを押し広げるようにして接合する。フランジ部Ｆの第１上板部３２ｂ及び第１下板部３２ｃを押し広げるようにして保持する。以上のように構成することにより、上キャビネット７は表示部１と固定されているため、表示部１と下キャビネット１２とを精度良く結合することができる。
【００３２】
尚、下キャビネット１２の表面側裏面に、裏面方向に延びる突出部１２ｃ、１２ｃが複数形成されている。上キャビネット７の表面側裏面にも、同様に、裏側に向けて延びる突出部７ｃ、７ｃが複数形成されている。ランプ保持ユニット３３の前面側に、上記突出板１２ｃ、７ｃの先端をそれぞれ把持する把持部３４ａｇ、３４ｂが設けられている。
【００３３】
次に、ランプの取り付け構造について、図４（Ａ）から図４（Ｃ）までを参照して説明する。図４（Ａ）は、ランプ保持ユニット３３を裏面側から見た図である。図４（Ｂ）は、図４（Ａ）においてランプを取り除いた構造を示す図である。図４（Ｃ）は、ランプの端部近傍の構成を示す図である。ランプ３５は、第２上板部３２ｄ及び第２下板部３２ｅとの間であって、接合部のほぼ全幅に渉って取り付けられている。ランプ３５の両端部には、電源供給用のコネクタ３５ａ、３５ｂがそれぞれ設けられており、底板部３２ａのコネクタ３５ａ、３５ｂの対応する位置に表面に連通する開口部３４ａ、３４ｂが設けられている。コネクタ３５ａ及び３５ｂから電気コード３９が延びており、その先にプラグ４６が設けられている。このプラグ４６を電源に差し込むことにより、ランプ３５に電力を供給することができる。ユーザがランプ３５を交換する場合には、上キャビネットと下キャビネットとが離間する方向に力を加えて、ランプカバー３１を引き出す。
【００３４】
その後、プラグ４６を抜いてランプ３５を取り出す。尚、ユーザがランプを取り替えやすいように、コネクタ３５ａ、３５ｂをランプ保持ユニット３３から直接取り外せるように構成しても良い。また、ランプ保持ユニット３３全体を取り外して、ランプ３５を交換できるようにしても良い。この際、フランジＦ側又は上下キャビネット７、１２側に、ユーザが把持しやすように把持部を取り付けておいても良い。尚、ランプ保持ユニット３３、特にフランジ部Ｆは、機械的強度と柔軟性と、軽量性と、低コストと、を考慮して、プラスチック製のものが好ましい。
【００３５】
上記構成を有する接合部３０により、フランジ部Ｆを有するランプ保持ユニット３３により、表示部１とコンソール部１１との間隙の値を、接合部の全幅に渉ってほぼ一定の値に保つことができ、表示部１の水平度を精度良く保つことができる。尚、上キャビネットと下キャビネットとの間を弾性的に保持する機構をさらに追加すれば、例えば表示部１の回転に伴う振動などを吸収しつつ、表示部１の水平度を保つことができる。フランジ部Ｆを柔軟性のあるプラスチック製にすることにより、フランジ部Ｆと上下キャビネット７、１２との間の隙間を自動的に調整することができる。
【００３６】
上記構造において、さらに、ランプカバー３１によりランプ室３３ａの開口を表面側から塞ぐことにより、ランプ３５を保護することができる。ランプカバー３１の底部３１ｂに形成されたアルミニウム箔によりランプカバー３１がハーフミラーとして機能し、ランプ３５の光は透過するが、例えばランプ３５を消した場合に前面側からはランプ３５が見えにくくなる。従って、ランプ３５が発光していない場合でも、ランプ保持ユニット３３を綺麗に見せる装飾的な効果を発揮する。接合部３０に形成され液晶テレビの左右の端部間に形成された部分をイルミネーションバーと称し、符号３０ａで表す。
【００３７】
次に、液晶テレビの回転機構の概略について、図５を参照して説明する。図５に示すように、回転機構２３は、大別して内部に駆動ユニット（減速機構、ギヤ）を内蔵する固定部と可動部とを有している。回転機構２３は、モータＭと、軸受け部７３と複数のリブ７１とを有している。モータＭにより軸受け部７３に挿入された回転軸を回転させることにより、回転軸が取り付けられた液晶テレビを回転させることができる。以上説明したように、本実施の形態による液晶テレビＡの接合部３０は、隙間補正の機能と装飾的機能とを併せ持っている。
【００３８】
図６及び図７（Ａ）から図７（Ｃ）までを参照して、本実施の形態による液晶テレビＡに設けられたイルミネーションバー３０ａ（図１）を中心とした液晶テレビＡの動作例について説明する。図６及び図７（Ａ）から図７（Ｃ）までは、本実施の形態による液晶テレビの正面図である。図６に示すように、ユーザが例えばリモートコントロール装置（以下「リモコン」と称する。）５１の電源オン・オフのスイッチ５３により液晶テレビの電源をオンすると、図３に示すランプ３５が点灯した後、数秒後に消灯する。液晶テレビＡの電源をオフにした場合も、ランプ３５が点灯した後、数秒後に消灯する。ランプ３５の前面にハーフミラー機能を有し光の透過率が高い（透明な）ランプカバー３１が設けられているため、ランプ３５が点灯すると、イルミネーションバー３０が例えば白熱色に変わる。尚、イルミネーションバー３０の色は、ランプ３５の種類と図３に示すランプカバーの色により調整することが可能である。
【００３９】
図７（Ａ）に示すように、リモコン５１のターンテーブルスイッチ５５を押すと、図７（Ｂ）に示すように、液晶テレビＡは、回転機構２３により回転可能な状態、すなわちターンテーブルモードに入る。ターンテーブルモードに入ると、上述の動作と同様にランプ３５が点灯し、イルミネーションバー３０ａの色が白熱色に変わる。イルミネーションバー３０ａの色が白熱色に変わることにより、ユーザは液晶テレビＡがターンテーブルモードに入った旨を知る。加えて、周囲の人に対しても、液晶テレビＡが回転可能な状態に入ったこと、従って液晶テレビＡが動く可能性が高いことを知らせることにより、周囲の人に注意を喚起することができる。ランプ３５が点灯している間に、ターンテーブル動作のための所定の操作を行わなければ、ランプ３５は数秒後に消灯する。
【００４０】
尚、ターンテーブルモードに入った状態で、リモコン５１のターンテーブルスイッチ５５を押すとランプ３５が消灯し、イルミネーションバー３０ａの色が白熱色から元の色に戻る。これにより、ユーザや周囲の人は、ターンテーブルモードが解消された旨を知ることができる。
【００４１】
図７（Ｂ）に示すターンテーブルモードに入っている場合において、図７（Ｃ）に示すようにリモコン５１のターンテーブルボタン５７ａ、５７ｂを押すと、図の矢印ＡＲ１、ＡＲ２で示したように、液晶テレビＡの表示部１とコンソール部１１とが、スタンド２１に対して回転する。例えばターンテーブルボタン５７ａを押すと、液晶テレビＡの表示部１とコンソール部１１とが、符号ＡＲ１に示す向きに回転する。ターンテーブルボタン５７ｂを押すと、液晶テレビＡの表示部１とコンソール部１１とが、符号ＡＲ２に示す向きに回転する。
【００４２】
回転が開始する際にも、例えば、上記イルミネーションバー３０ａが数秒間点灯するようにしても良い。さらに、イルミネーションバー３０ａは、例えば入力切換時に白熱色に光り、数秒後に消えるようにすることも可能である。また、サウンドモードの切換時にもイルミネーションバー３０ａを活用することができる。
【００４３】
液晶テレビＡの動作状態に応じてイルミネーションバー３０ａが変色することにより、ユーザに対して液晶テレビの状態を示すことができる。ユーザはイルミネーションバー３０ａを見ることにより、液晶テレビがどのような動作状態にあるかを知ることが出来る。さらに、装飾的効果、すなわちインテリアとしての高級感を出すことも出来る。尚、リモコン５１などを用いて、例えば、予め、ランプ３５が光らないモード、電源オン時に常に光るモードなどに設定しておくことも可能である。
【００４４】
以上、本実施の形態によれば、液晶テレビの表示部とコンソール部とが分離したタイプの薄型表示装置において、表示部とコンソール部とを平面状に接合することができる。さらに、表示部とコンソール部とを平面状に接合した際に、近接部に隙間を設けておくことにより、例えば液晶テレビの回転動作中に生じる振動やその他の振動が発生した場合であっても、振動の影響を吸収することができる。また、例えば、表示部１の水平度を調整する場合に、予め隙間を設けておくことにより、この隙間により水平度の調整が簡単にできる。例えば、表示部１とコンソール部１１との端面同士をそのまま当接した状態で縦フレーム４１により両者を固定すると、製造上の公差などにより水平度を合わせにくい。これに対して、隙間の調整により水平度を合わせた後に、縦フレーム４１により表示部１とコンソール部１１とを固定すると、水平度の良い薄型表示装置を製造することができる。
【００４５】
また、フランジ部と中間体とにより、表示部とコンソール部との隙間をその延在方向に一定に保つことにより、液晶テレビの表示部の傾きを防止し、表示に関するユーザの違和感を低減することができる。加えて、隙間部分に液晶テレビの動作に関連して表示が変化する表示ボックスを設けることにより、ユーザに対して動作状態を知らせることができるとともに、ユーザが見て美観を感じるような装飾的な効果を発揮させることが可能である。
【００４６】
次に、本発明の第２の実施の形態による薄型表示装置について図８を参照して説明する。適宜図１から図３までを参照して説明する。図８は、本発明の第２の実施の形態による薄型表示装置の接合部近傍の構成を示す図であり、図３に対応する図面である。図８に示すように、この接合構造は、図３に示す接合構造に加えて、表示部１とコンソール部１１との接合部３０の隙間を調整する隙間調整部材を有している。隙間調整部材は、接合部３０の延在方向に間欠的に複数設けられている。これにより、接合部の延在方向に関する隙間を調整することができ、表示部の水平度を調整することができる。
【００４７】
より詳細には、隙間調整部材は、フランジ部Ｆの第１上板部（第１係止片）３２ｂと第１下板部（第２係止片）３２ｃの少なくともいずれか一方（図８では両方）に設けられるネジ孔８３、９３と、ネジ孔８３、９３とそれぞれ螺合する調整ネジ８０、９０とを有している。ネジ孔８３、９３は、調整ネジ８０、９０の先端部８０ａ、９０ａが上下キャビネット７、１２の第１突出板７ｄ（第３係止片）の上面又は第２突出板１２ｄ（第４係止片）の下面と当接する位置に設けられている。調整ネジ８０、９０は、ネジ孔８３、９３の挿入始端側にそれぞれビス８１、９１を備え、ビス８１、９１とネジ孔の挿入始端との間にワッシャ８５、が設けられている。
【００４８】
上記構造によれば、調整ネジ８０、９０の押し込み具合により隙間を調整することができる。従って、接合部３０の延在方向に関して、隙間を決め細かく調整することにより、表示部１の水平度の調整をより精度良く行うことができる。本実施の形態においても、接合部材にイルミネーションバーを設けることが可能である。
【００４９】
尚、上記第１及び第２の実施の形態において、イルミネーションバーは薄型表示装置の任意の位置に設けても良い。また、用途に応じて、コンソール部と表示部とを上下反転させた構造を用いても良い。さらに、壁掛け型の液晶テレビに適用することも可能である。加えて、薄型表示装置Ａの大画面化により、表示部１とコンソール部１１とを上記接合構造３０のみで接合することが強度的に難しい場合には、表示部１とコンソール部１１とに跨り、接合部の延在する方向と交差する方向に延びる支柱を取り付けることにより両者の接合強度を一層高めることができる。
【００５０】
以上、本実施の形態に沿って説明したが、本発明はこれらの例に限定されるものではなく、種々の変形が可能であるのは言うまでもない。例えば、本実施の形態による液晶テレビにおいては、表示部とコンソール部との接合構造とイルミネーション構造とを兼ねる構成について説明したが、いずれか一方のみを備えた場合であっても良い。
【００５１】
【発明の効果】
本発明によれば、表示部とコンソール部とが分離したタイプの薄型表示装置において、表示部とコンソール部とを平面状に接合し、両者間に隙間を持たせ、隙間を接合部材で調整することにより、表示部の水平度を精度良く調整することができる。表示部とコンソール部との間に隙間を設けることで振動等の影響を吸収することができる。
【００５２】
さらに、隙間をその延在方向に関して一定に保つ接合構造を設けることにより、表示部の傾きを防止し表示に関する違和感を低減することができる。加えて、隙間部分に薄型表示装置の動作に関連して表示が変化する表示ボックスを設けることにより、ユーザに対して動作状態を知らせることができるとともに、ユーザが見て美観を感じるような装飾的な効果を持たせることが可能となる。
【図面の簡単な説明】
【図１】本発明の第１の実施の形態による薄型表示装置の概略構成を示す正面図である。
【図２】図２（Ａ）及び（Ｂ）は、図１の概略側面図である。
【図３】本発明の第１の実施の形態による薄型表示装置における接合部材の構成を示す断面図である。
【図４】図４（Ａ）から（Ｃ）までは、本発明の第１の実施の形態による薄型表示装置に設けられたイルミネーションバーの取り付け構造を示す図である。
【図５】本発明の第１の実施の形態による薄型表示装置における回転機構の構成を示す概略的な側面図である。
【図６】本発明の第１の実施の形態による薄型表示装置の動作を示す概略図である。
【図７】本発明の第１の実施の形態による薄型表示装置の動作を示す概略図である。
【図８】本発明の第１の実施の形態による薄型表示装置における接合部材の構成を示す断面図である。
【図９】従来の表示装置の構成を示す断面図である。
【符号の説明】
Ａ…液晶テレビ、Ｆ…フランジ部、１…表示部、３…液晶パネル、４…バックフレーム、７…上キャビネット、７ａ…額縁部、７ｄ…第１突出板、１１…コンソール部、１２…下キャビネット、１２ａ…縁取り部、１２ｄ…第２突出板、２１…スタンド、２３…回転機構、３０…接合部、４１…フレーム、１５…アンプ部１５、１７…コントロール部、３０ａ…イルミネーションバー、３０ｂ…間隙部、３１…ランプカバー、３２ａ…底板部、３２ｂ…第１上板部、３２ｃ…第１下板部、３２ｄ…第２上板部、３２ｅ…第２下板部、３３…ランプ保持ユニット、３３ａ…ランプ室、３３ｂ…空間部、３３ｃ…第１側板部、３３ｄ…第２側板部、３３ｅ…第１補強リブ、３３ｆ…第２補強リブ３３ｃ、８０、９０…調整ネジ、８１、９１…ビス、８３、９３…ネジ孔、８５、９５…ワッシャ。
【図１】
2004109399.tif 000003
【図２】
2004109399.tif 000004
【図３】
2004109399.tif 000005
【図４】
2004109399.tif 000006
【図５】
2004109399.tif 000007
【図６】
2004109399.tif 000008
【図７】
2004109399.tif 000009
【図８】
2004109399.tif 000010
【図９】
2004109399.tif 000011